(57)【要約】      （修正有）【課題】簡易な構成で、光が外部に漏れ出ることを抑制できるキー操作機構を提供する。【解決手段】キー操作機構１０は、ケーシング２と、シートキー３とを備えている。ケーシング２の外表面２１Ａには、収容凹部２２が形成されている。シートキー３が収容凹部２２に収容された状態では、表面シート３６の前面の端部が、収容凹部２２における凸湾曲面２３と周面２４との境界Ｂと対向している。発光素子３８からシートキー用拡散部材３９に向かう光のうち、シートキー用拡散部材３９を通過した光は、基板シート３５と表面シート３６との間を通過して、収容凹部２２における凸湾曲面２３よりも深い位置の周面２４により遮光される。【選択図】図３
0003199622.tif 000002
【実用新案登録請求の範囲】
【請求項１】
中空状のケーシングと、
前記ケーシングの外表面に取り付けられるシートキーと、を備え、
前記ケーシングは、
当該ケーシングの外表面に形成され、前記シートキーを収容する収容凹部と、
前記収容凹部の縁部に所定の曲率半径で形成された凸湾曲面と、を含み、
前記シートキーは、
少なくとも一部が透明又は半透明であり、操作キーを構成する領域を有する表面シートと、
前記表面シートと間隔を隔てて配置される基板シートと、
前記表面シートと前記基板シートとの間に配置されるように前記基板シートに取り付けられる発光素子と、
前記表面シートと前記基板シートとの間に配置され、前記発光素子から前記表面シート及び前記基板シートに対して平行方向に向かう光を拡散させる第１拡散部材と、を含み、
前記収容凹部は、その深さが前記凸湾曲面の曲率半径、及び、前記シートキーの厚みを加算した値よりも大きく、
前記シートキーは、その表面が前記ケーシングの外表面に対して、前記凸湾曲面の曲率半径以上の深さに位置するように、前記収容凹部内に収容されていることを特徴とするキー操作機構。
【請求項２】
前記第１拡散部材は、前記表面シートにおける前記操作キーを構成する領域に対向する位置に配置されていることを特徴とする請求項１に記載のキー操作機構。
【請求項３】
前記表面シートの端面は、前記基板シートの端面に対して前記収容凹部の内表面側に突出していることを特徴とする請求項１又は２に記載のキー操作機構。
【請求項４】
前記収容凹部の底面には、開口部が形成されており、
前記ケーシング内における前記開口部に対向する位置に配置される表示器と、
前記表示器と前記開口部との間に配置され、前記表示器から前記開口部に向かう光を拡散させる第２拡散部材と、をさらに含むことを特徴とする請求項１〜３のいずれか一項に記載のキー操作機構。
【請求項５】
前記凸湾曲面は、その曲率半径が０．５ｍｍ以上、１．０ｍｍ以下であることを特徴とする請求項１〜４のいずれか一項に記載のキー操作機構。
【考案の詳細な説明】
【技術分野】
【０００１】
本考案は、ケーシングと、ケーシングの外表面に取り付けられ、発光素子を有するシートキーとを備えるキー操作機構に関するものである。
【背景技術】
【０００２】
従来から、光源と、操作部と、光源からの光を操作部に導く導光部とを備えるキー操作機構が知られている。キー操作機構では、光源から照射された光が導光部を介して操作部に導かれることにより、操作部が照らされる。
【０００３】
この種のキー操作機構として、導光シート（導光部）の端部に、遮光性の材料により形成される遮光部が配置されたキー操作機構が提案されている（例えば、下記特許文献１参照）。
このキー操作機構では、導光シート内を通過した光が導光シートの端部に到達すると、その光は遮光部によって遮光される。これにより、光源からの光が導光シートの端部から外部に漏れ出ることが抑制される。
【０００４】
同様に、この種のキー操作機構として、導光板（導光部）の周壁を囲むように、不透光の部材である遮光部材が配置されたキー操作機構が提案されている（例えば、下記特許文献２参照）。
このキー操作機構では、遮光部材によって、光源からの光が導光板の周壁から漏れ出ることが抑制される。
【先行技術文献】
【特許文献】
【０００５】
【特許文献１】特開２０１１−１８１２２６号公報
【特許文献２】特開２０１１−１５０９９５号公報
【考案の概要】
【考案が解決しようとする課題】
【０００６】
上記のような従来のキー操作機構では、意図しない光が外部に漏れ出ることを抑制するために、遮光部又は遮光部材を新たに設けている。そのため、遮光部又は遮光部材を配置するための作業が必要となり、また、遮光部又は遮光部材を製造するコストもかかるという不具合がある。
本考案は、上記実情に鑑みてなされたものであり、簡易な構成で、光が外部に漏れ出ることを抑制できるキー操作機構を提供することを目的とする。
【課題を解決するための手段】
【０００７】
（１）本考案に係るキー操作機構は、ケーシングと、シートキーと、を備える。前記ケーシングは、中空状である。前記シートキーは、前記ケーシングの外表面に取り付けられる。前記ケーシングは、収容凹部と、凸湾曲面とを含む。前記収容凹部は、前記ケーシングの外表面に形成され、前記シートキーを収容する。前記凸湾曲面は、前記収容凹部の縁部に所定の曲率半径で形成されている。前記シートキーは、表面シートと、基板シートと、発光素子と、第１拡散部材と、を含む。前記表面シートは、少なくとも一部が透明又は半透明であり、操作キーを構成する領域を有する。前記基板シートは、前記表面シートと間隔を隔てて配置される。前記発光素子は、前記表面シートと前記基板シートとの間に配置されるように前記基板シートに取り付けられる。前記第１拡散部材は、前記表面シートと前記基板シートとの間に配置され、前記発光素子から前記表面シート及び前記基板シートに対して平行方向に向かう光を拡散させる。前記収容凹部は、その深さが前記凸湾曲面の曲率半径、及び、前記シートキーの厚みを加算した値よりも大きい。前記シートキーは、その表面が前記ケーシングの外表面に対して、前記凸湾曲面の曲率半径以上の深さに位置するように、前記収容凹部内に収容されている。
【０００８】
このような構成によれば、収容凹部は、ケーシングの外表面に形成される。また、シートキーは、その端面が収容凹部における凸湾曲面よりも深い位置の内表面と対向するようにして、収容凹部に収容される。
【０００９】
そして、発光素子から第１拡散部材に向かう光のうち、当該第１拡散部材を通過した光は、表面シートと基板シートとの間を通過して、収容凹部における凸湾曲面よりも深い位置の内表面により遮光される。
そのため、発光素子からの光が凸湾曲面に入射することを抑制でき、凸湾曲面が光を反射することで発生する外部への光の漏れを抑制できる。
その結果、簡易な構成で、光が外部に漏れ出ることを抑制できる。
【００１０】
（２）また、前記第１拡散部材は、前記表面シートにおける前記操作キーを構成する領域に対向する位置に配置されていてもよい。
【００１１】
このような構成によれば、発光素子から出射されて第１拡散部材で拡散された光によって、操作キーを構成する領域を照らすことができる。
【００１２】
（３）また、前記表面シートの端面は、前記基板シートの端面に対して前記収容凹部の内表面側に突出していてもよい。
【００１３】
このような構成によれば、第１拡散部材を通過して、収容凹部の内表面で当該収容凹部の外側に向かって光が反射された場合に、その光を表面シートの端面によって遮光できる。
そのため、光が外部に漏れ出ることを一層抑制できる。
【００１４】
（４）また、前記収容凹部の底面には、開口部が形成されていてもよい。前記キー操作機構は、表示器と、第２拡散部材と、をさらに含んでもよい。前記表示器は、前記ケーシング内における前記開口部に対向する位置に配置される。前記第２拡散部材は、前記表示器と前記開口部との間に配置され、前記表示器から前記開口部に向かう光を拡散させる。
【００１５】
このような構成によれば、第２拡散部材は、収容凹部内ではなく、ケーシング内に配置される。
そのため、収容凹部内に第２拡散部材が配置される場合に比べて、収容凹部において凸湾曲面よりも深い位置にシートキーを配置するためのスペースを十分に確保できる。
【００１６】
（５）また、前記凸湾曲面は、その曲率半径が０．５ｍｍ以上、１．０ｍｍ以下であってもよい。
【００１７】
このような構成によれば、凸湾曲面の領域を少なくできるため、収容凹部における凸湾曲面よりも深い位置にシートキーを配置したとしても、シートキーの表面とケーシングの外表面との間の段差を小さくできる。
【考案の効果】
【００１８】
本考案によれば、第１拡散部材を通過した光は、収容凹部における凸湾曲面よりも深い位置の内表面により遮光されるため、簡易な構成で、光が外部に漏れ出ることを抑制できる。
【図面の簡単な説明】
【００１９】
【図１】本考案の一実施形態に係るキー操作機構が用いられる分析装置を示した斜視図である。
【図２】図１のキー操作機構を示した断面図である。
【図３】図２のケーシング及びシートキーを示した断面図である。
【考案を実施するための形態】
【００２０】
１．分析装置の全体構成
図１は、本考案の一実施形態に係るキー操作機構１０が用いられる分析装置１を示した斜視図である。
分析装置１は、導入された試料を分析するための装置であって、ケーシング２と、シートキー３とを備えている。
ケーシング２は、例えば、樹脂材料からなり、中空状に形成されている。
【００２１】
シートキー３は、ケーシング２の外表面に取り付けられており、より詳しくは、ケーシング２の前壁２１に取り付けられている。シートキー３は、板形状に形成されている。シートキー３は、複数の操作キー３１と、表示画面３２と、装飾領域３３とを備えている。
操作キー３１は、シートキー３における外周部に配置されている。操作キー３１は、後述するように、押圧による操作が可能である。
表示画面３２は、シートキー３の中央部に配置されている。
装飾領域３３は、シートキー３を装飾する領域であって、シートキー３における外周部に配置されている。
【００２２】
分析装置１は、ケーシング２内に図示しない各種部品を備えている。分析装置１において試料の分析を行う際は、ユーザは、ケーシング２内に分析対象の試料を設置し、操作キー３１を操作する。そして、分析装置１では、試料に対する分析処理が行われ、分析処理された結果は、表示画面３２に表示される。
なお、分析装置１では、ケーシング２及びシートキー３が、キー操作機構１０を構成している。
【００２３】
２．キー操作機構の詳細構成
（１）ケーシング
図２は、図１のキー操作機構１０を示した断面図である。
キー操作機構１０は、上記したようにケーシング２と、シートキー３とを備えている。
ケーシング２は、収容凹部２２を有している。
【００２４】
収容凹部２２は、ケーシング２の前壁２１の外表面２１Ａから後方（ケーシング２の内方）に向かって窪んでいる。収容凹部２２は、正面視略矩形状に形成されている。収容凹部２２は、凸湾曲面２３と、周面２４と、底面２５とを備えている。
【００２５】
凸湾曲面２３は、収容凹部２２の縁部（前端部）に配置されている。凸湾曲面２３は、断面形状が略円弧形状に形成されており、ケーシング２の前壁２１の外表面２１Ａから徐々に後方に向かうように湾曲している。
【００２６】
周面２４は、凸湾曲面２３の後端部から後方に向かって略直線状に延びている。すなわち、周面２４は、凸湾曲面２３の後端部に連続し、前後方向に延びる平坦面である。
【００２７】
底面２５は、正面視略矩形状に形成されており、周面２４の後端部に連続している。底面２５には、開口部の一例としての中央開口部２６と、複数（例えば、４個）の端部開口部２７とが形成されている。
図１及び図２に示すように、中央開口部２６は、底面２５の中央部に配置されている。中央開口部２６は、底面２５を前後方向に貫通している。
各端部開口部２７は、底面２５の各角部に配置されている。各端部開口部２７は、底面２５を前後方向に貫通している。
なお、上記した構成のケーシング２は、例えば、圧空成型により形成される。そのため、圧空成型に用いられる金型に形成された抜き勾配に起因して、周面２４は、通常、前後方向に対してわずかに（例えば、１〜３°程度）傾斜している。
また、図２に示すように、ケーシング２には、第２拡散部材の一例としての表示器用拡散部材４と、表示器５とが取り付けられている。
【００２８】
表示器用拡散部材４は、中央開口部２６の後方に配置されている。表示器用拡散部材４は、例えば、アクリル板などの透光性を有する材料からなり、正面視略矩形の板形状に形成されている。表示器用拡散部材４の正面視領域は、中央開口部２６の正面視領域よりも大きい。表示器用拡散部材４は、中央開口部２６を後方から覆っている。表示器用拡散部材４は、内部を通過する光を拡散させるように構成されている。
【００２９】
表示器５は、表示器用拡散部材４の後方に配置されている。すなわち、表示器５は、ケーシング２内における中央開口部２６に対向する位置に配置されており、表示器用拡散部材４は、表示器５と中央開口部２６との間に配置されている。表示器５は、例えば、液晶ディスプレイであって、表示用の光を発光するように構成されている。
【００３０】
（２）シートキー
シートキー３は、収容凹部２２内に収容されるようにして、ケーシング２に取り付けられている。具体的には、シートキー３は、保持板６を介してケーシング２に取り付けられている。
【００３１】
保持板６は、シートキー３の後方に配置されるようにして、収容凹部２２内に収容されている。保持板６は、例えば、金属材料からなり、正面視略矩形の板形状に形成されている。保持板６は、その前面がシートキー３の後面に接合されており、シートキー３を保持している。保持板６には、各角部に後方に向かって突出したボス７が形成されている。そして、保持板６は、各ボス７が端部開口部２７を介して固定具８で固定されることにより、ケーシング２に取り付けられている。そして、ケーシング２に取り付けられた保持板６がシートキー３を保持している。保持板６は、ケーシング２に取り付けられた状態において、その端面が収容凹部２２の周面２４と対向している。なお、図示しないが、保持板６におけるシートキー３の表示画面３２と対向する部分には、開口が形成されている。
【００３２】
図３は、図２のケーシング及びシートキーを示した断面図である。
シートキー３は、基板シート３５と、表面シート３６と、スペーサー３７と、複数の発光素子３８と、第１拡散部材の一例としての複数のシートキー用拡散部材３９とを備えている。
【００３３】
基板シート３５は、シートキー３における最背面に配置されている。基板シート３５は、例えば、フレキシブル基板からなる。
【００３４】
表面シート３６は、シートキー３における最前面に配置されており、基板シート３５の前方に間隔を隔てて配置されている。表面シート３６は、例えば、ポリエステルなどの樹脂材料からなり、正面視略矩形状に形成されている。表面シート３６には、各操作キー３１を構成する領域である複数の操作キー領域３６Ａが形成されている。
【００３５】
各操作キー領域３６Ａは、正面視略円形状であって、図示しない板ばねによって後方から付勢されることにより前方に向かって膨らむように形成されている。各操作キー領域３６Ａは、可撓性を有しており、透明又は半透明に形成されている。
【００３６】
なお、図示しないが、同様に、表面シート３６において、表示画面３２を構成する領域、及び、装飾領域３３を構成する領域（図１参照）は、透明又は半透明に形成されている。
【００３７】
スペーサー３７は、基板シート３５と表面シート３６との間に介在されている。スペーサー３７は、例えば、樹脂材料からなる。スペーサー３７には、各操作キー領域３６Ａに対向する位置に収容空間３７Ａが形成されている。
収容空間３７Ａは、スペーサー３７を前後方向に貫通している。
【００３８】
各発光素子３８は、例えば、発光ダイオードであって、基板シート３５に取り付けられている。各発光素子３８は、シートキー３が構成された状態において、スペーサー３７の収容空間３７Ａ内に配置されている。すなわち、各発光素子３８は、基板シート３５と表面シート３６との間に配置されている。
【００３９】
各シートキー用拡散部材３９は、透光性を有する材料からなり、板形状に形成されている。各シートキー用拡散部材３９は、各発光素子３８と間隔を隔てるようにして、基板シート３５に取り付けられている。各シートキー用拡散部材３９は、シートキー３が構成された状態において、スペーサー３７の収容空間３７Ａ内に配置されており、かつ、表面シート３６の各操作キー領域３６Ａの後方に配置されている。すなわち、各シートキー用拡散部材３９は、各操作キー領域３６Ａに対向する位置に配置されており、基板シート３５と表面シート３６との間に配置されている。各シートキー用拡散部材３９は、内部を通過する光を拡散させるように構成されている。
【００４０】
シートキー３では、各操作キー領域３６Ａが後方に向かって押圧されると、各操作キー領域３６Ａが後方に向かって撓み、各シートキー用拡散部材３９を介して、各シートキー用拡散部材３９の後方に配置される基板シート３５の領域３５Ａが押圧される。これにより、基板シート３５において、電気信号が検知される。
【００４１】
（３）ケーシングとシートキーとの配置関係
収容凹部２２において、凸湾曲面２３の曲率半径Ｌ１は、０．５ｍｍ以上、１．０ｍｍ以下である。また、シートキー３の厚みＬ２は、１．５ｍｍ以上、２．５ｍｍ以下である。そして、収容凹部２２の深さ、換言すれば、前後方向におけるケーシング２の外表面２１Ａから底面２５（図２参照）までの寸法は、シートキー３の厚みＬ２、及び、凸湾曲面の曲率半径Ｌ１を加算した値よりも大きい。
【００４２】
シートキー３は、収容凹部２２に収容された状態において、その端面が周面２４に対向している。すなわち、収容凹部２２に収容された状態において、表面シート３６の前面が、ケーシング２の外表面２１Ａに対して、凸湾曲面２３の曲率半径Ｌ１以上の深さに位置している。より具体的には、シートキー３が収容凹部２２に収容された状態において、前後方向におけるケーシング２の外表面２１Ａからシートキー３の表面シート３６の前面までの寸法が、凸湾曲面２３の曲率半径Ｌ１と略同一であり、表面シート３６の前面の端部が、収容凹部２２における凸湾曲面２３と周面２４との境界Ｂと対向している。
【００４３】
また、シートキー３が収容凹部２２に収容された状態において、スペーサー３７の端面は、基板シート３５の端面に対して収容凹部２２の内表面である周面２４側に突出しており、表面シート３６の端面は、スペーサー３７の端面に対して周面２４側に突出している。このように、表面シート３６、基板シート３５及びスペーサー３７などのシートキー３の各層を構成する部材は、前方に配置される部材ほど、その端面が周面２４側に突出するように配置されている。
【００４４】
３．光の照射
分析装置１が使用されている状態においては、図２に示すように、表示器５から中央開口部２６に向かって表示用の光が発光される。表示器５からの光は、表示器用拡散部材４に入射し、表示器用拡散部材４で拡散される。そして、表示器用拡散部材４で拡散された光は、中央開口部２６を通過して、図１に示すように、表示画面３２を照らす。
【００４５】
また、図３に示すように、各発光素子３８からは、基板シート３５及び表面シート３６に対して平行方向に向かう光が出射される。各発光素子３８から出射された光は、シートキー用拡散部材３９に入射し、シートキー用拡散部材３９で拡散される。そして、シートキー用拡散部材３９で拡散された光は、各操作キー領域３６Ａを照らす。
【００４６】
一方、各発光素子３８から出射された光のうち、シートキー用拡散部材３９を通過した光は、基板シート３５と表面シート３６との間を通過して、周面２４により遮光される。また、周面２４で前方に向かって光が反射された場合には、その光は、表面シート３６の端面によって遮光される。
【００４７】
４．作用効果
（１）本実施形態では、図３に示すように、収容凹部２２は、ケーシング２の外表面２１Ａから後方に窪むように形成される。また、シートキー３は、その端面が収容凹部２２における凸湾曲面２３よりも深い位置の周面２４と対向するようにして、収容凹部２２に収容される。具体的には、シートキー３が収容凹部２２に収容された状態において、前後方向におけるケーシング２の外表面２１Ａからシートキー３の表面シート３６の前面までの寸法が、凸湾曲面２３の曲率半径Ｌ１と略同一であり、表面シート３６の前面の端部が、収容凹部２２における凸湾曲面２３と周面２４との境界Ｂと対向している。
【００４８】
そして、発光素子３８からシートキー用拡散部材３９に向かう光のうち、シートキー用拡散部材３９を通過した光は、基板シート３５と表面シート３６との間を通過して、収容凹部２２における凸湾曲面２３よりも深い位置の周面２４により遮光される。
そのため、発光素子３８からの光が凸湾曲面２３に入射することを抑制でき、凸湾曲面２３が光を反射することで発生する外部への光の漏れを抑制できる。
その結果、簡易な構成で、光が外部に漏れ出ることを抑制できる。
【００４９】
（２）また、本実施形態では、図３に示すように、各シートキー用拡散部材３９は、各操作キー領域３６Ａに対向する位置に配置されている。
そのため、発光素子３８から出射されて各シートキー用拡散部材３９で拡散された光によって、各操作キー領域３６Ａを照らすことができる。
【００５０】
（３）また、本実施形態では、図３に示すように、シートキー３が収容凹部２２に収容された状態において、表面シート３６の端面は、基板シート３５の端面に対して周面２４側に突出している。
そのため、シートキー用拡散部材３９を通過して、周面２４で前方に向かって光が反射された場合には、その光を表面シート３６の端面によって遮光できる。
その結果、光が外部に漏れ出ることを一層抑制できる。
【００５１】
（４）また、本実施形態では、図３に示すように、表示器用拡散部材４は、収容凹部２２内ではなく、ケーシング２内であって、中央開口部２６と表示器５との間に配置される。
【００５２】
そのため、収容凹部２２内に表示器用拡散部材４が配置される場合に比べて、収容凹部２２において凸湾曲面２３よりも深い位置にシートキー３を配置するためのスペースを十分に確保できる。
【００５３】
（５）また、本実施形態では、図３に示すように、収容凹部２２において、凸湾曲面２３の曲率半径Ｌ１は、０．５ｍｍ以上、１．０ｍｍ以下である。
【００５４】
そのため、凸湾曲面２３の領域を少なくできるため、収容凹部２２における凸湾曲面２３よりも深い位置にシートキー３を配置したとしても、シートキー３の表面（表面シート３６の前面）とケーシング２の外表面２１Ａとの間の段差を小さくできる。
【００５５】
５．変形例
以上の実施形態では、シートキー３は、表面シート３６の前面の端部が収容凹部２２における凸湾曲面２３と周面２４との境界Ｂと対向するようにして収容凹部２２に収容されているとして説明したが、シートキー３は、その端面が収容凹部２２における凸湾曲面２３よりも深い位置の周面２４と対向するようにして、収容凹部２２に収容されればよい。例えば、シートキー３は、表面シート３６の前面の端部が収容凹部２２における境界Ｂよりも深い位置の周面２４と対向するようにして、収容凹部２２に収容されてもよい。
【００５６】
また、以上の実施形態では、シートキー３は、基板シート３５、表面シート３６及びスペーサー３７が積層されて構成されるとして説明したが、シートキー３は、これらに加えて、さらに別のシート状の部材を備えてもよい。その場合は、シートキー３を構成する部材は、前方に配置される部材ほど、その端面が周面２４側に突出するように配置されることが好ましい。
【００５７】
また、以上の実施形態では、各シートキー用拡散部材３９が各操作キー領域３６Ａに対向する位置に配置されるとして説明したが、表面シート３６における装飾領域３３を構成する領域に対向する位置に拡散部材（第１拡散部材）が配置され、発光素子から出射された光がその拡散部材で拡散されて装飾領域３３を照らす構成であってもよい。ただし、シートキー３は、表示画面３２及び装飾領域３３の少なくとも一方を備えていない構成であってもよい。
【００５８】
また、以上の実施形態では、キー操作機構１０は、分析装置１に用いられるとして説明したが、キー操作機構１０は、分析装置に限らず、その他の各種装置に用いられてもよい。
【符号の説明】
【００５９】
２    ケーシング
３    シートキー
４    表示器用拡散部材
５    表示器
１０    キー操作機構
２１Ａ    外表面
２２    収容凹部
２３    凸湾曲面
２５    底面
３１    操作キー
３５    基板シート
３６    表面シート
３８    発光素子
３９    シートキー用拡散部材
【図１】
0003199622.tif 000003
【図２】
0003199622.tif 000004
【図３】
0003199622.tif 000005